(57)【要約】【課題】資産形成用口座への振替を自動的に行うこと。【解決手段】振替サーバは、第１の口座と対応付けられた決済情報を受信する。振替サーバは、受信した決済情報に割引情報が含まれるかを判定する。振替サーバは、割引情報が含まれる場合、割引情報に対応する割引金額を第１の口座から第２の口座へ振り替える処理を勘定系システムに依頼する。なお、第１の口座は、例えば引き落とし用の口座である。また、第２の口座は、例えば貯蓄用の口座及び証券用の口座である。【選択図】図７
2020173732.tif 000002
【特許請求の範囲】
【請求項１】
コンピュータに、
第１の口座と対応付けられた決済情報を受信し、
受信した前記決済情報に割引情報が含まれるかを判定し、
前記割引情報が含まれる場合、前記割引情報に対応する割引金額を前記第１の口座から第２の口座へ振り替える処理を勘定系システムに依頼する、
処理を実行させることを特徴とする振替プログラム。
【請求項２】
前記判定する処理は、受信した前記決済情報にポイントの利用による割引情報が含まれるかを判定し、
前記依頼する処理は、前記ポイントの利用による割引情報が含まれる場合、前記ポイントの数に対応する割引金額を前記第１の口座から前記第２の口座へ振り替える処理を勘定系システムに依頼する、
ことを特徴とする請求項１に記載の振替プログラム。
【請求項３】
前記依頼する処理は、前記決済情報に前記割引情報が含まれ、かつ、ユーザの情報処理端末から要求があった場合に、前記割引金額を前記第１の口座から第２の口座へ振り替える処理を勘定系システムに依頼する、
ことを特徴とする請求項１又は２に記載の振替プログラム。
【請求項４】
前記依頼する処理は、割引金額を、前記第１の口座から、複数の口座のうちユーザの情報処理端末によって指定された第２の口座へ振り替える処理を勘定系システムに依頼する、
処理を実行させることを特徴とする請求項１から３のいずれか１項に記載の振替プログラム。
【請求項５】
コンピュータに、
第１の口座と対応付けられた決済に関する情報を割引金額とともに表示し、
決済を確定する操作を受け付けた場合、割引金額の情報を含む決済情報をサーバに送信することにより、前記割引金額を前記第１の口座から第２の口座へ振り替える処理を勘定系システムに依頼する、
処理を実行させることを特徴とする振替プログラム。
【請求項６】
コンピュータが、
第１の口座と対応付けられた決済情報を受信し、
受信した前記決済情報に割引情報が含まれるかを判定し、
前記割引情報が含まれる場合、前記割引情報に対応する割引金額を前記第１の口座から第２の口座へ振り替える処理を勘定系システムに依頼する、
処理を実行することを特徴とする振替方法。
【請求項７】
コンピュータが、
第１の口座と対応付けられた決済に関する情報を割引金額とともに表示し、
決済を確定する操作を受け付けた場合、割引金額の情報を含む決済情報をサーバに送信することにより、前記割引金額を前記第１の口座から第２の口座へ振り替える処理を勘定系システムに依頼する、
処理を実行することを特徴とする振替方法。
【請求項８】
第１の口座と対応付けられた決済情報を受信する受信部と、
受信した前記決済情報に割引情報が含まれるかを判定する判定部と、
前記割引情報が含まれる場合、前記割引情報に対応する割引金額を前記第１の口座から第２の口座へ振り替える処理を勘定系システムに依頼する依頼部と、
を有することを特徴とする振替サーバ。
【請求項９】
第１の口座と対応付けられた決済に関する情報を割引金額とともに表示する表示制御部と、
決済を確定する操作を受け付けた場合、割引金額の情報を含む決済情報をサーバに送信することにより、前記割引金額を前記第１の口座から第２の口座へ振り替える処理を勘定系システムに依頼する送信部と、
を有することを特徴とする情報処理端末。
【発明の詳細な説明】
【技術分野】
【０００１】
本発明は、振替プログラム、振替方法、振替サーバ及び情報処理端末に関する。
【背景技術】
【０００２】
従来、あらかじめ決められた期間ごとに、ユーザの口座から所定の金額を貯蓄に振り替える手法が知られている。
【先行技術文献】
【特許文献】
【０００３】
【特許文献１】特開２００６−２７７７６１号公報
【発明の概要】
【発明が解決しようとする課題】
【０００４】
しかしながら、上記の手法では、資産形成用の口座への振替を自動的に行うことが難しい場合がある。例えば、決められた期間と異なるタイミングで資産形成用の口座への振り替えを行いたい場合、ユーザは手動で手続きを行うことが必要になる場合がある。
【０００５】
１つの側面では、資産形成用の口座への振替を自動的に行うことを目的とする。
【課題を解決するための手段】
【０００６】
１つの態様において、振替プログラムは、コンピュータに、第１の口座と対応付けられた決済情報を受信する処理を実行させる。振替プログラムは、コンピュータに、受信した決済情報に割引情報が含まれるかを判定する処理を実行させる。振替プログラムは、コンピュータに、割引情報が含まれる場合、割引情報に対応する割引金額を第１の口座から第２の口座へ振り替える処理を勘定系システムに依頼する処理を実行させる。
【発明の効果】
【０００７】
１つの側面では、資産形成用口座への振替を自動的に行うことができる。
【図面の簡単な説明】
【０００８】
【図１】図１は、実施例に係る振替システムの機能構成の一例を示す図である。
【図２】図２は、実施例に係る情報処理端末の機能構成の一例を示す図である。
【図３】図３は、実施例に係る振替サーバの機能構成の一例を示す図である。
【図４】図４は、口座情報の一例を示す図である。
【図５】図５は、決済に関する情報を表示する画面の一例を示す図である。
【図６】図６は、決済が完了したことを示す画面の一例を示す図である。
【図７】図７は、振替に関する選択を受け付ける画面の一例を示す図である。
【図８】図８は、振替が完了したことを示す画面の一例を示す図である。
【図９】図９は、情報処理端末の処理の流れを示すフローチャートである。
【図１０】図１０は、振替サーバの処理の流れを示すフローチャートである。
【図１１】図１１は、ハードウェア構成例を説明する図である。
【発明を実施するための形態】
【０００９】
以下に、本発明に係る振替プログラム、振替方法、振替サーバ及び情報処理端末の実施例を図面に基づいて詳細に説明する。なお、この実施例により本発明が限定されるものではない。また、各実施例は、矛盾のない範囲内で適宜組み合わせることができる。
【実施例１】
【００１０】
［機能構成］
図１を用いて、実施例に係る振替システムの機能構成を説明する。図１は、実施例に係る振替システムの機能構成の一例を示す図である。ここで、図１に示すように、振替システム１は、情報処理端末１０及び振替サーバ２０を有する。
【００１１】
振替サーバ２０と接続された勘定系システム３０は、第１の口座３１及び第２の口座３２を管理する。勘定系システム３０は、管理している口座の入出金及び振替等の処理を行う。また、振替サーバ２０は、勘定系システム３０に対して振替を依頼することができる。
【００１２】
ここで、第１の口座３１及び第２の口座３２は、いずれも情報処理端末１０のユーザの口座であるものとする。例えば、第１の口座３１は、クレジットカード等の引き落とし用の口座であるものとする。一方、第２の口座３２は、貯蓄口座又は証券用口座等の資産形成のための口座であるものとする。
【００１３】
ユーザは、情報処理端末１０を用いて、Ｗｅｂ上のショッピングサイトや実店舗における決済を行うことができる。情報処理端末１０は、決済に関する情報を勘定系システム３０等に送信する。そして、決済金額は、第１の口座３１から引き落とされる。なお、振替サーバ２０は、勘定系システム３０の一部であってもよい。
【００１４】
ユーザが情報処理端末１０を用いて決済を行う場合、決済金額から所定の金額が割引される場合がある。割引は、例えば、ポイント及びクーポンの利用、及び決済対象の商品又はサービスの提供者による値引き等によって生じる場合がある。
【００１５】
割引された金額で決済が行われた場合、情報処理端末１０は、割引金額を含む割引情報を決済に関する決済情報とともに振替サーバ２０に送信する。決済情報には、引き落とし用口座の口座番号、購入した商品、割引前の金額、割引金額等が含まれる。また、情報処理端末１０は、割引情報を含む決済情報を勘定系システム３０に送信してもよい。その場合、振替サーバ２０は、勘定系システム３０を経由して決済情報を受信することができる。
【００１６】
振替サーバ２０は、割引情報を含む決済情報を受け取ると、割引情報に対応する割引金額の第１の口座３１から第２の口座３２への振替を勘定系システム３０に依頼する。
【００１７】
図２を用いて、情報処理端末１０の機能構成を説明する。図２は、実施例に係る情報処理端末の機能構成の一例を示す図である。図２に示すように、情報処理端末１０は、通信部１１、入出力部１２、記憶部１３及び制御部１４を有する。
【００１８】
通信部１１は、他の装置との間でデータ通信を行うためのインタフェースである。例えば、通信部１１は、ＮＩＣ（Network  Interface  Card）である。入出力部１２は、キーボードやマウス等の入力装置及びディスプレイやスピーカ等の出力装置である。また、例えば、情報処理端末１０がスマートフォンである場合、入出力部１２はタッチパネルディスプレイであってもよい。
【００１９】
記憶部１３は、データや制御部１４が実行するプログラム等を記憶する記憶装置の一例であり、例えばハードディスクやメモリ等である。
【００２０】
制御部１４は、例えば、ＣＰＵ（Central  Processing  Unit）、ＭＰＵ（Micro  Processing  Unit）、ＧＰＵ（Graphics  Processing  Unit）等によって、内部の記憶装置に記憶されているプログラムがＲＡＭを作業領域として実行されることにより実現される。また、制御部１４は、例えば、ＡＳＩＣ（Application  Specific  Integrated  Circuit）やＦＰＧＡ（Field  Programmable  Gate  Array）等の集積回路により実現されるようにしてもよい。制御部１４は、送信部１４１及び表示制御部１４２を有する。
【００２１】
送信部１４１は、決済を確定する操作を受け付けた場合、割引金額の情報を含む決済情報を振替サーバ２０に送信することにより、割引金額を第１の口座３１から第２の口座３２へ振り替える処理を勘定系システム３０に依頼する。
【００２２】
表示制御部１４２は、第１の口座３１と対応付けられた決済に関する情報を割引金額とともに表示する。その他にも、表示制御部１４２は、ユーザの操作や勘定系システム３０での処理の結果に応じた各種画面を表示する。なお、第１の口座３１と対応付けられた決済とは、例えば引き落とし先として第１の口座３１が指定された決済である。
【００２３】
図３を用いて、振替サーバ２０の機能構成を説明する。図３は、実施例に係る振替サーバの機能構成の一例を示す図である。図３に示すように、振替サーバ２０は、通信部２１、記憶部２３及び制御部２４を有する。
【００２４】
通信部２１は、他の装置との間でデータ通信を行うためのインタフェースである。例えば、通信部２１は、ＮＩＣである。
【００２５】
記憶部２３は、データや制御部２４が実行するプログラム等を記憶する記憶装置の一例であり、例えばハードディスクやメモリ等である。記憶部２３は、口座情報２３１を有する。
【００２６】
口座情報２３１は、ユーザごとの第１の口座の情報及び第２の口座の情報を対応付けた情報である。図４は、口座情報の一例を示す図である。図４に示すように、口座情報２３１には、ユーザごとの引き落とし用口座の口座番号、貯蓄用口座の口座番号、及び証券用口座の口座番号が含まれる。ここで、引き落とし用口座は、第１の口座の一例である。また、貯蓄用口座及び証券用口座は、第２の口座の一例である。
【００２７】
例えば、図４の１行目には、ユーザ「Hanako」の引き落とし用口座の口座番号が「001-1111111」であり、貯蓄用口座の口座番号が「002-2222222」であり、証券用口座の口座番号が「003-3333333」であることが示されている。
【００２８】
制御部２４は、例えば、ＣＰＵ、ＭＰＵ、ＧＰＵ等によって、内部の記憶装置に記憶されているプログラムがＲＡＭを作業領域として実行されることにより実現される。また、制御部２４は、例えば、ＡＳＩＣやＦＰＧＡ等の集積回路により実現されるようにしてもよい。制御部２４は、受信部２４１、判定部２４２及び依頼部２４３を有する。
【００２９】
受信部２４１は、第１の口座３１と対応付けられた決済情報を受信する。受信部２４１は、情報処理端末１０から決済情報を受信してもよいし、勘定系システム３０を経由して決済情報を受信してもよい。
【００３０】
判定部２４２は、受信した決済情報に割引情報が含まれるかを判定する。例えば、判定部２４２は、受信した決済情報にポイントの利用による割引情報が含まれるかを判定する。
【００３１】
また、決済情報に明示的な割引情報が含まれていない場合であっても、判定部２４２は割引が行われたと判定することができる場合がある。例えば、決済された商品又はサービスの定価の情報を入手可能な場合、判定部２４２は、定価よりも決済金額の方が低い場合、割引が行われたと判定し、さらに差額を割引金額とみなしてもよい。このように、判定部２４２によって割引が行われたと判定された場合、依頼部２４３は決済情報に割引情報が含まれていると判定された場合と同様の処理を行う。
【００３２】
依頼部２４３は、割引情報が含まれる場合、割引情報に対応する割引金額を第１の口座３１から第２の口座３２へ振り替える処理を勘定系システム３０に依頼する。例えば、依頼部２４３は、ポイントの利用による割引情報が含まれる場合、ポイントの数に対応する割引金額を第１の口座３１から第２の口座３２へ振り替える処理を勘定系システム３０に依頼する。また、依頼部２４３は、ポイントの数に対応する割引金額に限られず、クーポンによる割引金額、商品又はサービスの提供者による値引き金額、判定部２４２によって割引金額とみなされた金額等を振り替えるように依頼してもよい。
【００３３】
［振替処理の例］
情報処理端末１０によって表示される画面の例を示しつつ、振替システム１全体の処理の流れを説明する。まず、ユーザが情報処理端末１０を使って、商品又はサービスの決済を行う場合、図５に示すような決済に関する情報を表示する画面が表示される。図５は、決済に関する情報を表示する画面の一例を示す図である。
【００３４】
図５は、ユーザが、「150,000円」で販売されている「本革ソファー（３人掛け）」を購入しようとした場合に表示される画面の例である。また、図５は、ユーザが保有している「5,000pt」のポイントを使って割引を受けた結果、税抜きの小計が「145,000円」になったことを示している。ここで、「1pt」は「1円」に相当するものとする。
【００３５】
さらに、図５には、商品点数が「1点」であること、税込みの小計が「156,600円」であること、支払い区分が「1回」であることが表示されている。ユーザが「購入」ボタンを押し決済を確定させると、情報処理端末１０は、決済情報を勘定系システム３０と振替サーバ２０へ送信する。このとき、情報処理端末１０は、決済情報に、利用ポイントが「5,000pt」であるという割引情報を含める。
【００３６】
そして、決済が完了すると、情報処理端末１０には決済が完了したことを示す画面が表示される。図６は、決済が完了したことを示す画面の一例を示す図である。図６には、税込みの小計、送料、手数料等が表示され、さらに、利用するポイントが「5,000pt」であることが表示される。ここで、ユーザが「OK」ボタンを押すと、情報処理端末１０は、振替に関する選択を受け付ける画面を表示する。
【００３７】
図７は、振替に関する選択を受け付ける画面の一例を示す図である。図７に示すように、情報処理端末１０は、割引金額が「5,000円」であった旨のメッセージとともに、振替方法の選択肢を表示する。例えば、情報処理端末１０は、「貯蓄します」とのラベルが付されたボタン１２１ａ、「証券を購入します」とのラベルが付されたボタン１２２ｂ、及び、「何もしません」とのラベルが付されたボタン１２３ｃ、を表示する。
【００３８】
ボタン１２１ａが押された場合、情報処理端末１０は、引き落とし用口座から貯蓄用口座に「5,000円」を振り替えることを要求するメッセージを振替サーバ２０に送信する。
【００３９】
このとき、振替サーバ２０は、情報処理端末１０からの要求を受けて、引き落とし用口座から貯蓄用口座に「5,000円」を振り替えることを勘定系システム３０に依頼する。つまり、振替サーバ２０の依頼部２４３は、決済情報に割引情報が含まれ、かつ、ユーザの情報処理端末から要求があった場合に、割引金額を第１の口座３１から第２の口座３２へ振り替える処理を勘定系システム３０に依頼する。
【００４０】
ボタン１２２ｂが押された場合、情報処理端末１０は、引き落とし用口座から証券用口座に「5,000円」を振り替えることを要求するメッセージを振替サーバ２０に送信する。
【００４１】
この場合、貯蓄用口座と証券用口座の両方が振替先の第２の口座３２になり得る。このため、依頼部２４３は、割引金額を、第１の口座３１から、複数の口座のうちユーザの情報処理端末によって指定された第２の口座３２へ振り替える処理を勘定系システム３０に依頼する。
【００４２】
また、依頼部２４３は、口座情報２３１を参照することで各口座の口座番号を取得することができる。ここで、図４の例によれば、ユーザ「Hanako」の引き落とし用口座の口座番号は「001-1111111」であり、貯蓄用口座の口座番号は「002-2222222」である。このため、例えば、情報処理端末１０のユーザが「Hanako」であり、ボタン１２１ａが押された場合、依頼部２４３は、「5,000円」を口座番号が「001-1111111」である口座から口座番号が「002-22222222」である口座に振り替えることを依頼する。
【００４３】
また、ボタン１２３ｃが押された場合、情報処理端末１０は、振替を要求するメッセージを振替サーバ２０に送信することなく処理を終了する。
【００４４】
振替サーバ２０による振替の依頼が完了すると、情報処理端末１０は振替が完了したことを示す画面を表示する。図８は、振替が完了したことを示す画面の一例を示す図である。図８の例では、情報処理端末１０は、振替先の口座が貯蓄口座であること、及び、振替金額が「5,000円」であったことを表示している。
【００４５】
［処理の流れ］
図９を用いて、情報処理端末１０の処理の流れを説明する。図９は、情報処理端末の処理の流れを示すフローチャートである。図９に示すように、まず、情報処理端末１０は、所定のアプリケーションを起動する（ステップＳ１０１）。次に、情報処理端末１０は、決済に関する情報を表示する（ステップＳ１０２）。
【００４６】
そして、情報処理端末１０は、決済を確定させる操作を受け付けると（ステップＳ１０３）、決済において割引があったか否かを判定する（ステップＳ１０４）。割引がなかった場合（ステップＳ１０４、Ｎｏ）、情報処理端末１０は、決済情報を振替サーバ２０へ送信する（ステップＳ１０５）。
【００４７】
一方、割引があった場合（ステップＳ１０４、Ｙｅｓ）、情報処理端末１０は、割引情報を決済情報に含める（ステップＳ１０６）。さらに、情報処理端末１０は、ユーザから振替方法を指定する入力を受け付ける（ステップＳ１０７）。そして、情報処理端末１０は、割引情報を含む決済情報及び振替要求を振替サーバ２０へ送信する（ステップＳ１０８）。
【００４８】
図１０を用いて、振替サーバ２０の処理の流れを説明する。図１０は、振替サーバの処理の流れを示すフローチャートである。図１０に示すように、まず、振替サーバ２０は、決済情報を受信する（ステップＳ２０１）。次に、振替サーバ２０は、決済情報に割引情報が含まれるか否かを判定する（ステップＳ２０２）。決済情報に割引情報が含まれない場合（ステップＳ２０２、Ｎｏ）、振替サーバ２０は処理を終了する。一方、決済情報に割引情報が含まれる場合（ステップＳ２０２、Ｙｅｓ）、振替サーバ２０は勘定系システム３０に、振替を依頼する（ステップＳ２０３）。
【００４９】
［効果］
上述したように、振替サーバ２０は、第１の口座３１と対応付けられた決済情報を受信する。振替サーバ２０は、受信した決済情報に割引情報が含まれるかを判定する。振替サーバ２０は、割引情報が含まれる場合、割引情報に対応する割引金額を第１の口座３１から第２の口座３２へ振り替える処理を勘定系システム３０に依頼する。このように、振替サーバ２０は、決済の発生に合わせて、自動的に振替を依頼する。このため、実施例によれば、資産形成用口座への振替を自動的に行うことが可能になる。また、出費の発生と同時に資産形成口座への入金が発生するため、実施例によれば、ユーザの出費への心理的負担を抑制することができる。
【００５０】
振替サーバ２０は、受信した決済情報にポイントの利用による割引情報が含まれるかを判定する。振替サーバ２０は、ポイントの利用による割引情報が含まれる場合、ポイントの数に対応する割引金額を第１の口座３１から第２の口座３２へ振り替える処理を勘定系システム３０に依頼する。このように、振替サーバ２０は、ポイントの利用に合わせて、自動的に振替を依頼する。このため、実施例によれば、ポイント利用のタイミングで資産形成用口座への振替を自動的に行うことが可能になる。
【００５１】
振替サーバ２０は、決済情報に割引情報が含まれ、かつ、ユーザの情報処理端末から要求があった場合に、割引金額を第１の口座３１から第２の口座３２へ振り替える処理を勘定系システム３０に依頼する。これにより、ユーザの希望に合わせて振替を行うことができ、利便性を向上させることができる。
【００５２】
振替サーバ２０は、割引金額を、第１の口座３１から、複数の口座のうちユーザの情報処理端末によって指定された第２の口座３２へ振り替える処理を勘定系システム３０に依頼する。これにより、ユーザに複数の選択肢を提示することが可能になり、利便性を向上させることができる。
【００５３】
情報処理端末１０は、第１の口座と対応付けられた決済に関する情報を割引金額とともに表示する。情報処理端末１０は、決済を確定する操作を受け付けた場合、割引金額の情報を含む決済情報をサーバに送信することにより、割引金額を第１の口座３１から第２の口座３２へ振り替える処理を勘定系システム３０に依頼する。このように、情報処理端末１０は、決済の発生に合わせて、自動的に振替を依頼するトリガを発生させることができる。このため、実施例によれば、資産形成用口座への振替を自動的に行うことが可能になる。
【００５４】
なお、上記の実施例では、勘定系システム３０への振替の依頼を振替サーバ２０が行うものとしたが、振替の依頼は情報処理端末１０によって行われてもよい。また、上記の実施例では、振替サーバ２０は、割引金額をそのまま振替金額としていたが、振替サーバ２０は、割引金額のうち、ユーザが指定した金額を振替金額としてもよい。
【００５５】
［システム］
上記文書中や図面中で示した処理手順、制御手順、具体的名称、各種のデータやパラメータを含む情報については、特記する場合を除いて任意に変更することができる。また、実施例で説明した具体例、分布、数値等は、あくまで一例であり、任意に変更することができる。
【００５６】
また、図示した各装置の各構成要素は機能概念的なものであり、必ずしも物理的に図示の如く構成されていることを要しない。すなわち、各装置の分散や統合の具体的形態は図示のものに限られない。つまり、その全部又は一部を、各種の負荷や使用状況等に応じて、任意の単位で機能的又は物理的に分散・統合して構成することができる。さらに、各装置にて行われる各処理機能は、その全部又は任意の一部が、ＣＰＵ及び当該ＣＰＵにて解析実行されるプログラムにて実現され、あるいは、ワイヤードロジックによるハードウェアとして実現され得る。
【００５７】
［ハードウェア］
図１１は、ハードウェア構成例を説明する図である。図１１に示すように、振替サーバ２０は、通信インタフェース２０ａ、ＨＤＤ（Hard  Disk  Drive）２０ｂ、メモリ２０ｃ、プロセッサ２０ｄを有する。また、図１１に示した各部は、バス等で相互に接続される。
【００５８】
通信インタフェース２０ａは、ネットワークインタフェースカード等であり、他のサーバとの通信を行う。ＨＤＤ２０ｂは、図３に示した機能を動作させるプログラムやＤＢを記憶する。
【００５９】
プロセッサ２０ｄは、図３に示した各処理部と同様の処理を実行するプログラムをＨＤＤ２０ｂ等から読み出してメモリ２０ｃに展開することで、図１等で説明した各機能を実行するプロセスを動作させる。すなわち、このプロセスは、振替サーバ２０が有する各処理部と同様の機能を実行する。具体的には、プロセッサ２０ｄは、受信部２４１、判定部２４２及び依頼部２４３と同様の機能を有するプログラムをＨＤＤ２０ｂ等から読み出す。そして、プロセッサ２０ｄは、受信部２４１、判定部２４２及び依頼部２４３等と同様の処理を実行するプロセスを実行する。プロセッサ２０ｄは、例えば、ＣＰＵ、ＭＰＵ、ＡＳＩＣ等のハードウェア回路である。
【００６０】
このように振替サーバ２０は、プログラムを読み出して実行することで分類方法を実行する情報処理装置として動作する。また、振替サーバ２０は、媒体読取装置によって記録媒体から上記プログラムを読み出し、読み出された上記プログラムを実行することで上記した実施例と同様の機能を実現することもできる。なお、この他の実施例でいうプログラムは、振替サーバ２０によって実行されることに限定されるものではない。例えば、他のコンピュータ又はサーバがプログラムを実行する場合や、これらが協働してプログラムを実行するような場合にも、本発明を同様に適用することができる。
【００６１】
このプログラムは、インターネット等のネットワークを介して配布することができる。また、このプログラムは、ハードディスク、フレキシブルディスク（ＦＤ）、ＣＤ−ＲＯＭ、ＭＯ（Magneto−Optical  disk）、ＤＶＤ（Digital  Versatile  Disc）等のコンピュータで読み取り可能な記録媒体に記録され、コンピュータによって記録媒体から読み出されることによって実行することができる。
【符号の説明】
【００６２】
１  振替システム
１０  情報処理端末
１１、２１  通信部
１２  入出力部
１３、２３  記憶部
１４、２４  制御部
２０  振替サーバ
１４１  送信部
１４２  表示制御部
２３１  口座情報
２４１  受信部
２４２  判定部
２４３  依頼部
【図１】
2020173732.tif 000003
【図２】
2020173732.tif 000004
【図３】
2020173732.tif 000005
【図４】
2020173732.tif 000006
【図５】
2020173732.tif 000007
【図６】
2020173732.tif 000008
【図７】
2020173732.tif 000009
【図８】
2020173732.tif 000010
【図９】
2020173732.tif 000011
【図１０】
2020173732.tif 000012
【図１１】
2020173732.tif 000013